(57)【要約】【課題】原水と浄水の吐出口を共用しかつそれぞれストレート吐出とシャワー吐出とに切換可能にした構造が簡単で操作も容易な浄水器を提供する。【解決手段】原水取入口４、切換弁５およびストレート吐出口７並びにシャワー吐出口８を備えた浄水器本体１と、原水を浄化する浄化部１０と、を有し、上記切換弁５は、原水導入口２２及び浄水導入口２７を開口するとともにストレート吐出口７及びシャワー吐出口８に連なるストレート導出口２３及びシャワー導出口２４を互いに軸方向にずらせて開口した円筒形の弁室ボディ２０と、上記弁室ボディ２０に回転可能に収容され、回転により上記原水導入口及び浄水導入口を開く原水流入口３２および浄水流入口３５を有し、互いに１８０度の位相差をなして上記ストレート導出口２３及びシャワー導出口２４を開く各一対のストレート流出口３３ａ、３３ｂ及びシャワー流出口３４ａ、３４ｂを備えた円筒弁２１と、で構成される。【選択図】    図２
2004205031.tif 000002
【特許請求の範囲】
【請求項１】
残留塩素を含んだ原水を導入する原水取入口、切換弁およびストレート吐出口並びにシャワー吐出口を備えた浄水器本体と、上記浄水器本体に連設され原水が導かれてこの原水を浄化する浄化部と、を備え、上記切換弁は、
原水取入口より原水を導く原水導入口及び上記浄化部で浄化された浄水を導く浄水導入口を開口するとともに、周壁に互いに軸方向に離れてそれぞれ上記ストレート吐出口及びシャワー吐出口に連通するストレート導出口及びシャワー導出口を開口した円筒形の弁室ボディと、
円筒形をなして上記弁室ボディに同軸状にして回転可能に収容され、それぞれ回転方向の２位置で上記原水導入口及び浄水導入口を開く原水流入口および浄水流入口を有するとともに、周壁に互いに軸方向に離れてかつそれぞれが所定の回転角度の位相差をなして設けられ上記ストレート導出口及びシャワー導出口をそれぞれ開く各一対のストレート流出口及びシャワー流出口を備えた円筒弁と、
で構成され、
上記円筒弁を操作して、原水取入口の原水を原水導入口、原水流入口、ストレート流出口又はシャワー流出口を介してストレート導出口又はシャワー導出口に切り換えて導くとともに、浄化部で浄化された浄水を浄水導入口、浄水流入口、ストレート流出口又はシャワー流出口を介して上記ストレート導出口又はシャワー導出口に切り換えて導き、原水ストレートの吐出口と浄水ストレートの吐出口を共用するとともに、原水シャワー吐出口と浄水シャワー吐出口を共用したことを特徴とする浄水器。
【請求項２】
上記原水導入口及び浄水導入口はそれぞれ弁室ボディの周壁に互いに軸方向に離れて形成するとともに、上記原水流入口及び浄水流入口はそれぞれ円筒弁の周壁に軸方向に離れて形成したことを特徴とする請求項１に記載の浄水器。
【請求項３】
弁室ボディの端部壁に原水導入口及び浄水導入口を２個づつ形成し、円筒弁の端部壁に１個の流入口を形成したことを特徴とする請求項１に記載の浄水器。
【請求項４】
上記原水導入口及び浄水導入口はそれぞれ弁室ボディの端部壁に１８０度離れて形成するとともに、上記原水流入口及び浄水流入口はそれぞれ円筒弁の端部壁に９０度離れて形成したことを特徴とする請求項１に記載の浄水器。
【請求項５】
上記円筒弁は９０度づつ回転操作されて原水ストレート、原水シャワー、浄水ストレート及び浄水シャワーに切り換え可能になっていることを特徴とする請求項１ないし請求項４のいずれか一に記載の浄水器。
【請求項６】
液体Ａの導入口及び液体Ｂの導入口を有するとともに互いに軸方向に離れて第１の導出口及び第２の導出口を開口した円筒型の弁室ボディと、
円筒形をなして上記弁室ボディに同軸状して回転可能に収容され、それぞれ回転方向の２位置で上記液体Ａの導入口および液体Ｂの導入口を開く液体Ａの流入口および液体Ｂの流入口を有し、かつ胴部に互いに所定の回転角度の位相差をなして形成され上記第１の導出口及び第２の導出口をそれぞれ開く各一対の第１の流出口及び第２の流出口を備えた円筒弁と、
を具備したことを特徴とする切換弁。
【発明の詳細な説明】
【０００１】
【発明の属する技術分野】
本発明は、家庭用の水道蛇口に直結され、蛇口から出る原水をそのまま吐出する原水吐出と、カートリッジ等の浄化部を経て浄化された浄水を吐出する浄水吐出とに切換可能であり、しかも上記原水と浄水の吐出形態をストレート吐出とシャワー吐出に切換可能にした浄水器および液体の流れを多方向に切り換え可能な切換弁に関する。
【０００２】
【従来の技術】
【特許文献】特開平７−１１６６５７号公報
一般に、蛇口直結型浄水器は、例えば特開平７−１１６６５７号公報に示されているように、本体を水道蛇口に取り付け、この蛇口から導入した水道原水を切換弁を介して本体底部に開口した原水吐出口より原水のまま吐出するとともに、上記本体の側部にフィルターカートリッジ等の塩素除去機能などを備えた浄化部を連結し、上記切換弁の切り換えによって原水を浄化部に送って浄化し、この浄水を浄水吐出口より吐出するようになっている。すなわち、切換弁を操作することにより、原水と浄水とに切り換える構造になっている。
そして、吐出口はストレート吐出口とシャワー吐出口に分かれており、原水吐出の時に上記切換弁の操作でストレート吐出口よりストレート水を吐出し、シャワー吐出口よりシャワー水を吐出するように切り換える構造になっている。
【０００３】
しかしながら、上記浄水器は、原水吐出のときは本体の下面に設けたストレート吐出口又はシャワー吐出口より吐出されるが、浄水吐出の場合は浄化部の下面に開口した他の浄水吐出口から吐出するようになっている。すなわち、原水吐出口と浄水吐出口は互いに異なる位置に設けられており、このような場合は、原水と浄水の出る位置、すなわち水の落下する位置が異なるため、原水と浄水を切り換えて調理や食器洗浄等をする場合は、その都度洗う場所を移動しなければならず、使い勝手が良くないといった不具合があった。
また、浄水はストレート吐出されるようになってはいるが、浄水をシャワー状に吐出するものはなかった。つまり、従来の浄水器は、吐出形態が原水ストレート、原水シャワー、浄水ストレートの３パターンであり、浄水をシャワー状に吐出するパターンがなかった。しかし、使用者より浄水のシャワー吐出が要請されている。
【０００４】
【発明が解決しようとする課題】
このようなことから、本発明者は、原水と浄水の吐出口を共用にし、水の落下位置を一定にして使い勝手が良くなる浄水器を実用化すべく研究開発中である。
原水の場合と浄水の場合に吐出口を共用し、しかもストレート吐出とシャワー吐出に切り換えようとすると、水の吐出形態は原水ストレート、原水シャワー、浄水ストレート及び浄水シャワーの４種類になる。
このような４種類の流れの切換を行うための切換弁として、複数の切換弁を用いて多段式に切り換えれば実現可能であるが、切換弁を複数個使用すると構造が複雑になり、部品点数も増えて高価になり、かつ浄水器が大型になる等の不具合があり、しかも切換操作も複数段の操作になるので、使い勝手がよくないといった欠点がある。
本発明はこのような事情にもとづきなされたもので、その目的とするところは、原水と浄水の吐出口を共用し、しかもそれぞれストレート吐出とびシャワー吐出に切換可能にし、かつ構造が簡単で操作も容易な浄水器、およびこのような使用にも好適する簡単な構造の切換弁を提供しようとするものである。
【０００５】
【課題を解決するための手段】
上記目的を達成するため請求項１の発明は、残留塩素を含んだ原水を導入する原水取入口、切換弁およびストレート吐出口並びにシャワー吐出口を備えた浄水器本体と、上記浄水器本体に連設され原水が導かれてこの原水を浄化する浄化部と、を備え、上記切換弁は、原水取入口より原水を導く原水導入口及び上記浄化部で浄化された浄水を導く浄水導入口を開口するとともに、周壁に互いに軸方向に離れてそれぞれ上記ストレート吐出口及びシャワー吐出口に連通するストレート導出口及びシャワー導出口を開口した円筒形の弁室ボディと、円筒形をなして上記弁室ボディに同軸状にして回転可能に収容され、それぞれ回転方向の２位置で上記原水導入口及び浄水導入口を開く原水流入口および浄水流入口を有するとともに、周壁に互いに軸方向に離れてかつそれぞれが所定の回転角度の位相差をなして設けられ上記ストレート導出口及びシャワー導出口をそれぞれ開く各一対のストレート流出口及びシャワー流出口を備えた円筒弁と、で構成され、上記円筒弁を操作して、原水取入口の原水を原水導入口、原水流入口、ストレート流出口又はシャワー流出口を介してストレート導出口又はシャワー導出口に切り換えて導くとともに、浄化部で浄化された浄水を浄水導入口、浄水流入口、ストレート流出口又はシャワー流出口を介して上記ストレート導出口又はシャワー導出口に切り換えて導き、原水ストレートの吐出口と浄水ストレートの吐出口を共用するとともに、原水シャワー吐出口と浄水シャワー吐出口を共用した浄水器が提供される。
【０００６】
このような発明によれば、切換弁を回動操作することにより、原水取入口に導入した原水を原水導入口、原水流入口を通じて円筒弁内に導いた後、一方のストレート流出口、ストレート導出口を経てストレート吐出口に流して原水ストレートとして吐出する吐出形態と、原水を原水導入口、原水流入口を通じて円筒弁内に導いた後、一方のシャワー流出口、シャワー導出口を通じてシャワー吐出口に流して原水シャワーとして吐出する吐出形態と、浄化部で浄化された浄水を浄水導入口、浄水流入口を通じて円筒弁内に導いた後、他方のストレート流出口、ストレート導出口を経てストレート吐出口に流して浄水ストレートとして吐出する吐出形態と、および浄水を浄水導入口、浄水流入口を通じて円筒弁内に導いた後、他方のシャワー流出口、シャワー導出口を通じてシャワー吐出口に流して浄水シャワーとして吐出する形態とに切り換えることができる。
このため、１個のストレート吐出口が原水ストレートおよび浄水ストレートの出口として共用できるとともに、１個のシャワー吐出口が原水シャワーおよび浄水シャワーの出口として共用でき、原水と浄水の出る位置、すなわち水の落下する位置が同じ位置になる。このため、原水と浄水を切り換えて調理や食器洗浄等をする場合、洗う場所を移動する必要がなくなり、使い勝手が良くなる。
そして、この場合、浄水もシャワー吐出口よりシャワー状に吐出できるので、吐出パターンが増し、使い易くなる。
しかも、４種類の吐出形態の切換を単一の切換弁で行えるので、切換操作が容易になる。また、弁室ボディおよび円筒弁はそれぞれ円筒形状をなし、円筒弁の内部を原水及び浄水の通路として使用するので、構造が簡単で、部品点数が少なくてすみ、安価に製造することができる。
【０００７】
本発明の好ましい態様は、上記原水導入口及び浄水導入口はそれぞれ弁室ボディの周壁に互いに軸方向にずらせて形成するとともに、上記原水流入口及び浄水流入口はそれぞれ円筒弁の周壁に軸方向に離れて形成した浄水器が提供される。
この場合、弁室ボディの周壁に原水導入口及び浄水導入口を開口するから、切換弁の高さを低くすることができる。
他の好ましい態様は、弁室ボディの端部壁に原水導入口及び浄水導入口を２個づつ形成し、円筒弁の端部壁に１個の流入口を形成した浄水器が提供される。
さらに、他の好ましい態様は、原水導入口及び浄水導入口はそれぞれ弁室ボディの端部壁に１８０度離れて形成するとともに、上記原水流入口及び浄水流入口はそれぞれ円筒弁の端部壁に９０度離れて形成した浄水器が提供される。
これらの好ましい態様の場合は、切換弁の軸方向長さを小さくすることができる。
さらに他の好ましい態様は、円筒弁は９０度づつ回転操作されて原水ストレート、原水シャワー、浄水ストレート及び浄水シャワーに切り換え可能になっている浄水器が提供される。
この場合、４種類の吐出形態を、円筒弁の９０度づつの回転操作で切り換えることができ、切換操作が容易である。
【０００８】
他の本発明は、液体Ａの導入口及び液体Ｂの導入口を開口するとともに互いに軸方向にずらせて第１の導出口及び第２の導出口を開口した円筒型の弁室ボディと、円筒形をなして上記弁室ボディに同軸状して回転可能に収容され、それぞれ回転方向２位置で上記液体Ａの導入口および液体Ｂの導入口を開く液体Ａの流入口および液体Ｂの流入口を有し、かつ胴部に互いに所定の回転角度の位相差をなして形成され上記第１の導出口及び第２の導出口をそれぞれ開く各一対の第１の流出口及び第２の流出口を備えた円筒弁と、を具備した切換弁が提供される。
このような発明であれば、２種の液体Ａ、Ｂを選択的に導入し、これら液体Ａ、Ｂをそれぞれ異なる導出から選択的に吐出させるといった、４種類の流れ形態を構造および操作が簡単な切換弁で実現できる。
【０００９】
【発明の実施の形態】
以下本発明について、第１の実施例を図１ないし図５にもとづき説明する。図１は蛇口直結型浄水器の外観及び流路系統を概略的に示す図、図２は浄水器の本体部分の縦断面図、図３は同横断面図、図４は切換弁の主要部の分解斜視図、図５は４種類の切り換え状態を説明する図である。
図において、１は浄水器本体であり、連結具２を介して水道蛇口３に取り付けられる。上記本体１には、蛇口３に連なる原水取入口４が形成されており、この原水取入口４の下方に位置して切換弁５が設けられている。切換弁５はハンドル６を回転させることによって操作される。また、切換弁５の下方位置には、本体１の下面に開口してストレート水を吐出するストレート吐出口７とシャワー水を吐出するシャワー吐出口８がそれぞれ形成されている。
本体１の側方（図１では左側）には、浄化部１０が連設されている。浄化部１０は、例えば周知のようにフィルターカートリッジ１１を脱着可能に収容し、このカートリッジ１１に原水を通したときフィルターが原水に含まれる臭い成分、汚れ成分、残留塩素、トリハロメタン等を吸着濾過して浄化する作用を有する。なお、フィルターとしては、活性炭、中空糸膜、不織布、セラミックス、逆浸透膜などが知られている。また、この浄化部１０としては、上記フィルターによる物理的吸着の他に、イオン交換樹脂などの媒体を用いる方式であってもよく、またはアスコルビン酸（ビタミンＣ）を原水に混ぜることによって残留塩素を中和する化学反応的浄化手段を用いた浄水方式であってもよい。
上記浄化部１０は上記本体１に設けた切換弁５に対し、原水送り通路１２及び浄水戻り通路１３によって連通されている。原水送り通路１２は切換弁５から原水を浄化部１０に送る往路であり、浄水戻り通路１３は浄化部１０で浄化された浄水を切換弁５に帰還させる復路である。
【００１０】
次に、本発明の主要部となる上記本体１および切換弁５の構造について、図２ないし図５にもとづき説明する。
本体１の上部には前記連結具２が設けられており、この連結具は、図２に示すように、原水取入口４にリング状のパッキング１５を装着するとともに、蛇口３を挟み付ける挟持具１６を配置し、これらパッキング１５および挟持具１６を上記原水取入口４の周壁に螺合した固定ナット１７で押え付ける構造になっており、この固定ナット１７を締め付けることにより挟持具１６が蛇口３に係止し、本体１を蛇口３に取り付けるようになっている。これにより蛇口３から原水を原水取入口４に導入する。
原水取入口４の下部には切換弁５が設けられている。切換弁５は、合成樹脂にて形成された弁室ボディ２０と、この弁室ボディ２０内で回転される合成樹脂製のロータリー式円筒弁２１とで構成されている。
【００１１】
本実施例の弁室ボディ２０は両端が開放された円筒形をなしており、その軸線が水平方向に伸びるように配置されている。この弁室ボディ２０の図示左側の開口端は、前記原水送り通路１２を構成しており、この原水送り通路１２より原水が浄化部１０に向かって送られるようになっている。
この弁室ボディ２０の上面には、上記原水取入口４に連なる原水導入口２２が開口されている。この原水導入口２２は例えば円形孔となっている。
また、弁室ボディ２０の下面には、ストレート導出口２３及びシャワー導出口２４が形成されている。これらストレート導出口２３とシャワー導出口２４は互いに軸方向に位置をずらせてあり、しかもそれぞれ前記原水導入口２２に対し、１８０度の位相をずらし、かつ軸方向にも位置がずれている。これらストレート導出口２３及びシャワー導出口２４もそれぞれ円形孔となっている。
【００１２】
上記ストレート導出口２３は、図２に示す通り、ストレート吐出口７に連なっており、ストレート水は実質的にこのストレート吐出口７より下向きに吐出されるようになっている。また、シャワー導出口２４は、図２に示すように、シャワー吐出口８に連なっている。このシャワー吐出口８は上記ストレート吐出口７の周囲を囲むようにドーナツ状に形成されており、下面開口部に散水板２５を備えている。したがって、シャワー吐出口８より放出されるシャワー水はストレート吐出口７を囲んでドーナツ状に落下するようになっている。
【００１３】
上記弁室ボディ２０の側面には、本実施例では図２の向こう側の面に位置して、浄水導入口２６が開口されている。この浄水導入口２６は、前記原水導入口２２に対し、９０度の位相をずらし、かつ軸方向にずれているとともに、ストレート導出口２３及びシャワー導出口２４に対しても軸方向にずれている。なお、この浄水導入口２６も円形孔となっている。  この浄水導入口２６は、前記浄水戻り通路１３に連なっている。浄水戻り通路１３は、図３に示すように、弁室ボディ２０と平行な通路となっており、弁室ボディ２０と一体に形成されている。
浄水戻り通路１３の左側開放端は前記浄化部１０に連結され、浄化部１０で浄化された浄水がこの浄水戻り通路１３を通って浄水導入口２６に供給されるようになっている。なお、浄水戻り通路１３の右側端部は樹脂の成形型抜きの都合で開放構造になっており、この開口部は閉塞部材２７にて液密に封止されている。
【００１４】
このような弁室ボディ２０に回転自在に挿入される円筒弁２１は、両端が開放された円筒形をなしており、軸方向の途中に仕切壁３０を備えている。この仕切壁３０は例えば断面クランク形をなしており、この仕切壁３０で区画される左側の開放端は前記弁室ボディ２０の端部の原水送り通路１２に連なっている。そして、この仕切壁３０より左側に位置して円筒弁２１の側壁に原水送り口３１が形成されている。
この原水送り口３１は前記弁室ボディ２０の原水導入口２２に対応しており、円筒弁２１を回転して原水送り口３１が原水導入口２２に対向したとき、原水取入口４の原水を原水導入口２２、原水送り口３１を通じて原水送り通路１２へ供給するようになっている。この原水送り口３１は、円筒弁２１の周方向に沿って略１８０度の範囲に亙り、スリット状に形成されている。
【００１５】
また、円筒弁２１の側壁には、上記仕切壁３０よりも右側に位置して、原水流入口３２が開口されている。この原水流入口３２は前記原水送り口３１と同一円周上で、原水送り口３１に対して１８０度位相がずれて形成されている。したがって、この原水流入口３２も前記原水導入口２２と対応しており、円筒弁２１を回転して原水流入口３２が原水導入口２２に対向したとき、原水取入口４の原水を原水導入口２２、原水流入口３２を通じて、仕切壁３０よりも右側の円筒弁２１内部に導入するようになっている。
この原水流入口３２も、円筒弁２１の周方向に沿って略１８０度の範囲に亙りスリット状に形成されている。このため、円筒弁２１を回転して原水送り口３１が原水導入口２２に連通したとき原水流入口３２は原水導入口２２と非連通になり、逆に原水流入口３２が原水導入口２２に連通するときは原水送り口３１は原水導入口２２と非連通状態になる。
【００１６】
さらに、円筒弁２１の側壁には、上記仕切壁３０よりも右側に位置し、かつ上記原水流入口３２より軸方向にずらせて、ストレート流出口３３ａ、３３ｂが開口されている。これらストレート流出口３３ａ、３３ｂは弁室ボディ２０の前記ストレート導出口２３に対応しており、円筒弁２１を回転してこれらストレート流出口３３ａ又は３３ｂがストレート導出口２３に対向したとき、円筒弁２１内の原水または浄水をストレート導出口２３よりストレート吐出口７に流出させるようになっている。これらストレート流出口３３ａ、３３ｂは、互いに円筒弁２１の周方向に沿って１８０度の位相をずらせてそれぞれ円形状の孔に形成されており、原水取入口４の原水を円筒弁２１内に導入したときは一方のストレート流出口３３ａがストレート導出口２３と対向し、また後述するが浄化部１０の浄水を円筒弁２１内に導入したときには、他方のストレート流出口３３ｂがストレート導出口２３に対向するようになっている。
【００１７】
さらにまた、円筒弁２１の側壁には、上記仕切壁３０よりも右側に位置し、かつ上記ストレート流出口３３ａ、３３ｂより軸方向に位置をずらせてシャワー流出口３４ａ、３４ｂが開口されている。これらシャワー流出口３４ａ、３４ｂは弁室ボディ２０の前記シャワー導出口２４に対応しており、円筒弁２１を回転してこれらシャワー流出口３４ａ、３４ｂがシャワー導出口２４に対向したとき、円筒弁２１内の原水または浄水をシャワー導出口２４を通じてシャワー吐出口８に流出させるようになっている。これらシャワー流出口３４ａ、３４ｂも、円筒弁２１の周方向に沿って互いに１８０度の位相をずらせてそれぞれ円形状の孔に開口形成されており、原水取入口４の原水を円筒弁２１内に導入したときには一方のシャワー流出口３４ａがシャワー導出口２４と対向し、また後述するが浄化部１０の浄水を円筒弁２１内に導入したときには、他方のシャワー流出口３４ｂがシャワー導出口２４に対向するようになっている。ただし、これらシャワー流出口３４ａ、３４ｂはストレート流出口３３ａ、３３ｂに対し、周方向に９０度の位相をずらせて開口してある。
【００１８】
そしてまた、円筒弁２１の側壁には、上記仕切壁３０よりも右側に位置し、かつ原水流入口３２より軸方向にずらせて、浄水流入口３５が開口されている。この浄水流入口３５は弁室ボディ２０の前記浄水導入口２６と対応しており、円筒弁２１を回転して浄水流入口３５が浄水導入口２６に対向したとき、浄水戻り通路１３の浄水を浄水導入口２６、浄水流入口３５を通じて円筒弁２１内に導入するようになっている。
この浄水流入口３５は、円筒弁２１の周方向に沿って略１８０度の範囲に亙りスリット状に形成されており、上記原水送り口３１に対して周方向に９０°位相をずらせて開口してある。このため、円筒弁２１を回転して原水送り口３１が原水導入口２２と連通した時に浄水流入口３２も浄水導入口２６と連通する。また、原水送り口３１が原水導入口２２と非連通になった時には浄水流入口３２も浄水導入口２６と非連通になる。
【００１９】
このような構造の円筒弁２１は、その右側開放端が、この開放端を液密に閉塞する閉塞部材を兼ねる連結軸４０に連結されており、この連結軸４０には前記ハンドル６が連結されている。ハンドル６は３６０度の範囲を回転可能となっているが、図示しないバネなどを用いた節度感を付与する手段によって、９０度ずつ間欠的に回動されるようになっている。そして、このハンドル６を９０度ずつ間欠操作することにより円筒弁２１も一体的に９０度ずつ回転され、後述するように、ハンドル６の９０度ずつの回動操作で吐出水の吐出形態を、原水ストレート、原水シャワー、浄水ストレート及び浄水シャワーに切り換えできるようになっている。なお、例えばハンドル６の９０度ずつの回転に応じて原水ストレート、原水シャワー、浄水ストレート及び浄水シャワーの表示をしておけば、外から吐水状態を判別することができる。
【００２０】
このような構成による実施例の浄水器について作用を説明する。
浄水器本体１を連結具２により蛇口３に取り付け、蛇口３を開けると蛇口３の水道水（原水）が原水取入口４に導入される。
「原水ストレート」
ハンドル６を回転操作して、原水ストレートの位置にセットすると、図５の「原水ストレート」の欄に示すように、円筒弁２１の原水送り口３１が原水導入口２２と非連通になっており、よって原水取入口４の原水は原水送り通路１２へ供給されない。同時に弁室ボディ２０の浄水導入口２６も円筒弁２１で閉じられており、よって浄水戻り通路１３の浄水が円筒弁２１内に流入するのが阻止されている。つまり、原水が浄化部１０へ送られないので、浄化部１０は機能しない状態になっている。
このとき原水流入口３２が原水導入口２２に対向するので原水取入口４の原水が原水導入口２２、原水流入口３２を通じて円筒弁２１内に導入される。またこのとき、一方のストレート流出口３３ａがストレート導出口２３に対向しているので、円筒弁２１内に導入した原水がストレート導出口２３を経てストレート吐出口７から流出する。
すなわち、原水取入口４の原水は切換弁５を通じてストレート吐出口７に供給されることになり、このストレート吐出口７より原水のトレート水が吐出される。
「原水シャワー」
次にハンドル６を９０度回動すると、図５の「原水シャワー」の欄に示すように、円筒弁２１の原水送り口３１が原水導入口２２と非連通になっており、よって原水取入口４の原水は依然として原水送り通路１２へ供給されず、また、浄水導入口２７も円筒弁２１で閉じられているので、原水が浄化部１０へ水が送られず、よってこの時も浄化部１０は機能しない状態になっている。
この状態では原水流入口３２が原水導入口２２に対向するので原水取入口４の原水が原水導入口２２、原水流入口３２を通じて円筒弁２１内に導入されるとともに、一方のシャワー流出口３４ａがシャワー導出口２４に対向するので、円筒弁２１内の原水がシャワー導出口２４を通じてシャワー吐出口８から流出する。
すなわち、原水取入口４の原水は切換弁５を通じてシャワー吐出口８へ供給され、このシャワー吐出口８より原水がシャワー水として吐出される。
【００２１】
「浄水ストレート」
さらに、ハンドル６を９０度回動操作して、浄水ストレートの位置にセットすると、図５の「浄水ストレート」の欄に示すように、円筒弁２１の原水送り口３１が弁室ボディ２０の原水導入口２２に対向し、よって原水取入口４の原水は原水送り通路１２へ供給され、この原水は浄化部１０へ送られてカートリッジ１１にて浄化される。
同時に弁室ボディ２０の浄水導入口２６が円筒弁２１の浄水流入口３５と対向するので浄水戻り通路１３の浄水が円筒弁２１内に流入する。すなわち、蛇口３から原水取入口４に取り入れた原水が切換弁５及び原水送り通路１２を経て浄化部１０へ送られ、カートリッジ１１で浄化され、この浄水が浄水戻り通路１３を通じて切換弁５に戻される。
なお、このとき原水導入口２２は円筒弁２１で閉塞されているので原水取入口４の原水は円筒弁２１内に流入されることはない。
そしてこのとき、他方のストレート流出口３３ｂがストレート導出口２３に対向するので円筒弁２１内の浄水はストレート導出口２３を通じてストレート吐出口７から流出する。
すなわち、浄化部１０で浄化された浄水がストレート吐出口７より吐出されるようになり、前記した原水がストレートに吐出されたときと同じストレート吐出口７を通って浄水がトレート状に吐出される。
「浄水シャワー」
さらにハンドル６を９０度回動して浄水シャワーに切り換えると、図５の「浄水シャワー」の欄に示すように、弁室ボディ２０の原水導入口２２が依然として円筒弁２１の原水送り口３１に対向し、よって原水取入口４の原水は原水送り通路１２へ供給される。同時に弁室ボディ２０の浄水導入口２６は円筒弁２１の浄水流入口３５と対向するので浄水戻り通路１３の浄水が円筒弁２１内に流入する。すなわち、このときも蛇口３から原水取入口４に取り入れた原水が切換弁５及び原水送り通路１２を経て浄化部１０へ送られ、カートリッジ１１で浄化され、この浄水が浄水戻り通路１３を通じて切換弁５内に流入される。
このとき、他方のシャワー流出口３４ｂがシャワー導出口２４に対向するので、円筒弁２１内の浄水がシャワー導出口２４を通じてシャワー吐出口８から流出する。
すなわち、浄化部１０で浄化された浄水がシャワー吐出口８より吐出されるようになるから、前記した原水シャワーのときと同じシャワー吐出口８から浄水がシャワー状に吐出される。
【００２２】
上記実施例によれば、ストレート吐出口７が原水ストレートおよび浄水ストレートに共用されるとともに、シャワー吐出口８が原水シャワーと浄水シャワーに共用されるので、それぞれ原水と浄水を切り換えても水の出口は一定位置になる。このため、水の落下位置が変化しなく、浄水器の下方で調理や洗いものをする場合、作業場所を移す必要がなくなり、作業がやり易くなる。
しかも、このような吐出水の切り換えは、原水ストレート、原水シャワー、浄水ストレート及び浄水シャワーの４種類になるが、ハンドル６を９０度ずつ間欠的に回して円筒弁２１を回転操作すればよいので、切換え操作が容易である。
また、ハンドル６は９０度ずつ４段階に回動操作するので、結局３６０度回転できる。このため、吐出水を選択して切り換えるとき、一方向および逆方向に回転することができ、どの吐出状態からでもハンドル６を進めたりまたは戻すことによって希望する吐出状態の位置に素早く移動させることができ、ハンドル操作の自由度が大きい。このため、切換の操作性に優れる。
【００２３】
特に、図４から理解できるように、弁室ボディ２０は円筒形をなし、その周壁に原水導入口２２、ストレート導出口２３、シャワー導出口２４および浄水導入口２６を開設した構造であるから、合成樹脂による一体成形が可能である。この場合、原水送り通路１２および浄水戻り通路１３も一体成形が可能であり、製造に際し、部品点数が少なく、成形用金型も少なくてすむ。
一方、円筒弁２１も円筒形をなしており、途中にクランク形仕切壁３０を有するとともに、周壁に原水送り口３１、原水流入口３２、ストレート流出口３３ａ、３３ｂ、シャワー流出口３４ａ、３４ｂおよび浄水流入口３５を設けた構造となっており、合成樹脂による一体成形が可能である。この製造に際し、部品点数が少なく、成形用金型も少なくてすむ。よって、製造コストが安価になる。
そして、上記実施例では、円筒弁２１にクランク形仕切壁３０を設けて原水送り口３１と原水流入口３２を同一円周上に形成したので、弁室ボディ２０の原水導入口２２を共用することができる。よって、これら原水送り口３１と原水流入口３２を別個にかつ軸方向にずらせて設ける場合に比べて、弁室ボディ２０および円筒弁２１の軸方向寸法を短縮することができ、小型化が可能になる。
なお、図４では図示を省略したが、図２に示すように、上記弁室ボディ２０に原水取入口４、ストレート吐出口７およびシャワー吐出口２４を一体に成形することもできる。このような一体成形の場合はさらに金型などが少なくてすみ、製造が安価になる。
【００２４】
上記実施例の浄水器に用いた切換弁５は、上記の説明から理解できるとおり、互いに異なる２種類の液体（実施例では原水と浄水）をそれぞれ２カ所の出口（実施例ではストレート吐出口７とシャワー吐出口８）より切り換えて送出させる場合の切換弁に用いて有効であり、すなわち弁室ボディ２０に、液体Ａ（実施例では原水）の導入口２２と液体Ｂ（実施例では浄水）の導入口２６を互いに軸方向に異なる位置に設けるとともに、これら導入口２２、２６に対し周方向に位相をずらせて（ストレート）導出口２３および（シャワー）導出口２４を互いに軸方向にずらせて開設し、一方、上記弁室ボディ２０に挿入されて回転可能な円筒形の弁２１には上記導入口２２、２６を開く互いに周方向に位相をずらせた（原水）流入口３２および（浄水）流入口３５を設け、かつ互いに周方向に位相をずらせた対をなす（ストレート）流出口３３ａ、３３ｂおよび対をなす（シャワー）流出口３４ａ、３４ｂを設けることで実現できる。
このような切換弁の構造は、部品点数が少なく、構造が簡単であるとともに、円筒弁２１の回転操作で４種の切換ができるので、操作も容易である。
【００２５】
なお、上記実施例では、原水送り口３１、原水流入口３２および浄水流入口３５を１８０度の角度の範囲に亘るスリット形状に開口したが、これらはそれぞれ９０度ずつの位相をずらせて独立した孔であってもよい。
また、上記実施例では、弁室ボディ２０に原水導入口２２を設けるとともに、円筒弁２１に原水送り口３１を形成し、円筒弁２１の回動により原水取入口４の原水を原水送り通路１２に供給するようにしたが、原水送り通路１２は常時原水取入口４と導通させておいてもよく、この場合は原水送り口３１を省略してもよい。
さらに、円筒弁２１に設けられる仕切壁３０はクランク形に限らず、傾斜壁であってもよい。
【００２６】
そしてまた、上記第１の実施例の場合、弁室ボディ２０の側壁に浄水導入口２６を形成するとともに、円筒弁２１の周壁に原水送り口３１、原水流入口３２および浄水流入口３５を形成したが、円筒弁２１の端部を利用して切り換えることもできる。このような例を第２の実施例として図６ないし図９にもとづき説明する。
第２の実施例では、弁室ボディ２０に、この弁室ボディ２０の内部を軸方向に区画する区画壁４０を設けるとともに、この区画壁４０によって区画された一方の部屋に円筒弁２１を回転自在に収容し、かつ他方の部屋には径方向に仕切る仕切壁４１を設けてある。仕切壁４１は弁室ボディ２０の他方の部屋を原水送り通路１２と浄水戻り通路１３とに区画している。原水送り通路１２は原水を浄化部１０に送る通路であり、浄水戻り通路１３は浄化部１０より浄水を帰還させる通路である。そして、原水送り通路１２は弁室ボディ２０に形成した原水導入口２２を通じて原水取入口４に連通しており、原水取入口４の原水が常に原水送り通路１２に導入されるようになっている。
上記区画壁４０には、４個の導入口が９０度づつの位相差をなして開けられている。これら導入口は、その内の２個が原水ストレート導入口４２ａ、原水シャワー導入口４２ｂであり、他の２個は浄水ストレート導入口４３ａ、浄水シャワー導入口４３ｂである。原水ストレート導入口４２ａおよび原水シャワー導入口４２ｂは、仕切壁４１によって区画された原水送り通路１２に臨んでおり、浄水ストレート導入口４３ａおよび浄水シャワー導入口４３ｂは浄水戻り通路１３に臨んでいる。
上記弁室ボディ２０に回転自在に収容された円筒弁２１は、端部を閉塞する端部壁４４を有し、この端部壁４４に１個の流入口４５を開口している。この流入口４５は円筒弁２１を９０度づつ回転させた場合、上記原水ストレート導入口４２ａ、原水シャワー導入口４２ｂ、浄水ストレート導入口４３ａおよび浄水シャワー導入口４３ｂのいずれか１個と対向し、これらいずれかの導入口を開くようになっている。
その他、弁室ボディ２０に形成したストレート導出口２３、シャワー導出口２４、および円筒弁２１に形成したストレート流出口３３ａ、３３ｂ、シャワー流出口３４ａ、３４ｂは、第１の実施例と同様な構成であってよい。
【００２７】
上記構成の第２の実施例について、作用を説明する。
「原水ストレート」
ハンドル６を回転操作して、原水ストレートの位置にセットすると、図９の「原水ストレート」の欄に示すように、原水取入口４は原水導入口２２を通じて原水送り通路１２と常時連通しているので原水取入口４の原水は原水送り通路１２に供給されている。このとき、円筒弁２１の端部壁４４に形成した１個の流入口４５が弁室ボディ２０の区画壁４０に形成した原水ストレート導入口４２ａに対向する。したがって、原水送り通路１２の原水が、原水ストレート導入口４２ａ、流入口４５を通じて円筒弁２１内に流入する。このとき、弁室ボディ２０の区画壁４０に形成した浄水ストレート導入口４３ａ、浄水シャワー導入口４３ｂは、円筒弁２１の端部壁４４によって閉塞されている。したがって、浄水戻り通路１３内の水は円筒弁２１内に流入しない。つまり、原水送り通路１２から浄化部１０を経て浄水戻り通路１３に向かう循環流路は、末端の浄水ストレート導入口４３ａおよび浄水シャワー導入口４３ｂが閉止されているため閉じられた流路となっており、よって浄化部１０に水は流れず、浄化部１０は機能しないとともに、浄水戻り通路１３内の水が円筒弁２１内に流入するのが阻止されている。
このとき、一方のストレート流出口３３ａがストレート導出口２３に対向するので、円筒弁２１内に導入した原水がストレート導出口２３を経てストレート吐出口７から流出する。
すなわち、原水取入口４の原水は切換弁５を通じてストレート吐出口７に供給され、このストレート吐出口７より原水のトレート水が吐出される。
「原水シャワー」
次にハンドル６を９０度回動すると、図９の「原水シャワー」の欄に示すように、円筒弁２１の端部壁４４に形成した１個の流入口４５が弁室ボディ２０の区画壁４０に形成した原水シャワー導入口４２ｂに対向する。したがって、原水送り通路１２の原水が、原水シャワー導入口４２ｂ、流入口４２を通じて円筒弁２１内に流入する。このときも、弁室ボディ２０の区画壁４０に形成した浄水ストレート導入口４３ａ、浄水シャワー導入口４３ｂは円筒弁２１の端部壁４４により閉塞されており、よって、浄水戻り通路１３内の水は円筒弁２１内に流入しない。
この状態では、一方のシャワー流出口３４ａがシャワー導出口２４に対向するので、円筒弁２１内の原水がシャワー導出口２４を通じてシャワー吐出口８から流出する。
すなわち、原水取入口４の原水は切換弁５を通じてシャワー吐出口８へ供給され、このシャワー吐出口８よりシャワー水として吐出される。
【００２８】
「浄水ストレート」
さらに、ハンドル６を９０度回動操作して、浄水ストレートの位置にセットすると、図９の「浄水ストレート」の欄に示すように、円筒弁２１の端部壁４４に形成した流入口４５が弁室ボディ２０の区画壁４０に形成した浄水ストレート導入口４３ａに対向する。これにより、浄水戻り通路１３の浄水が浄水ストレート導入口４３ａ、流入口４２を通じて円筒弁２１内に流入する。このときは、円筒弁２１の端部壁４４が弁室ボディ２０の区画壁４０に形成した原水ストレート導入口４２ａおよび原水シャワー導入口４２ｂを閉じており、よって原水が円筒弁２１内に流入することはなく、代わりに原水送り通路１２から浄化部１０を経て浄水戻り通路１３に向かう循環流路が開通した状態になり、よって原水取入口４の原水が原水導入口２２より原水送り通路１２を経て浄化部１０に送られ、この浄化部１０で残留塩素が除去され、この残留塩素が除去された浄水が浄水ストレート導入口４３ａ、流入口４２を経て円筒弁２１内に導かれることになる。
そしてこのとき、他方のストレート流出口３３ｂがストレート導出口２３に対向するので、円筒弁２１内の浄水はストレート導出口２３を通じてストレート吐出口７から流出する。
すなわち、浄化部１０で浄化された浄水がストレート吐出口７より吐出されるようになり、前記した原水ストレートのときと同じストレート吐出口７を通って浄水がトレート状に吐出される。
「浄水シャワー」
さらにハンドル６を９０度回動して浄水シャワーに切り換えると、図９の「浄水シャワー」の欄に示すように、円筒弁２１の端部壁４４に形成した流入口４５が弁室ボディ２０の区画壁４０に形成した浄水シャワー導入口４３ｂに対向する。これにより、浄水戻り通路１３の浄水が浄水シャワー導入口４３ｂ、流入口４５を通じて円筒弁２１内に流入する。このときは、依然として円筒弁２１の端部壁４４が弁室ボディ２０の区画壁４０に形成した原水ストレート導入口４２ａおよび原水シャワー導入口４２ｂを閉じており、原水取入口４の原水は、原水導入口２２より原水送り通路１２を経て浄化部１０に送られ、この浄化部１０で残留塩素が除去され、この残留塩素が除去された浄水が浄水シャワー導入口４３ａ、流入口４５を通じて円筒弁２１内に流入する。
このとき、他方のシャワー流出口３４ｂがシャワー導出口２４に対向するので、円筒弁２１内の浄水がシャワー導出口２４を通じてシャワー吐出口８から流出する。
すなわち、浄化部１０で浄化された浄水がシャワー吐出口８より吐出されるようになるから、前記した原水がシャワーに吐出されたときと同じシャワー吐出口８から浄水がシャワー状に吐出される。
【００２９】
このような第２の実施例の場合も、ストレート吐出口７が原水ストレートおよび浄水ストレートに共用されるとともに、シャワー吐出口８が原水シャワーと浄水シャワーに共用されるので、それぞれ原水と浄水を切り換えても水の出口は一定位置になり、よって水の落下位置が変化しなく、浄水器の下方で調理や洗いものをする場合、作業場所を移す必要がなくなり、作業がやり易くなる。
しかも、このような吐出水の切り換えは、原水ストレート、原水シャワー、浄水ストレート及び浄水シャワーの４種類になるが、ハンドル６を９０度ずつ間欠的に回して円筒弁２１を回転操作すればよいので、切り換え操作が容易である。
【００３０】
上記第２の実施例では、円筒弁２１の端部壁４４を利用して流路の切換を行う場合、端部壁４４に１個の流入口４５を形成するとともに弁室ボディ２０の区画壁４０に４個の導入口４２ａ，４２ｂ、４３ａ、４３ｂを形成したが、端部壁４４を利用する場合、図１０および図１１に示す第３の実施例のように構成してもよい。
すなわち、第３の実施例では、弁室ボディ２０の区画壁４０に、２個の導入口が１８０度の位相差をなして開けられており、一方の導入口は原水導入口５１であり、この原水導入口５１は仕切壁４１によって区画された原水送り通路１２に臨んでいるとともに、他方の導入口は浄水導入口５２であり、この浄水導入口５２は浄水戻り通路１３に臨んでいる。
そして、円筒弁２１の端部壁４４には２個の流入口が９０度の位相差をなして開口されており、一方の流入口はストレート流入口５３ａであり、他方の流入口はシャワー流入口５３ｂとなっている。
その他の構成は、第１および第２の実施例と同様であってよい。
【００３１】
このような構成の第３の実施例について、作用を説明する。
「原水ストレート」
ハンドル６を回転操作して、原水ストレートの位置にセットすると、図１１の「原水ストレート」の欄に示すように、原水取入口４は原水導入口２２を通じて原水送り通路１２と常時連通しているので原水取入口４の原水は原水送り通路１２に供給されている。このとき、円筒弁２１の端部壁４４に形成したストレート流入口５３ａが弁室ボディ２０の区画壁４０に形成した原水導入口５１に対向する。したがって、原水送り通路１２の原水が、原水導入口５１、ストレート流入口５３ａを通じて円筒弁２１内に流入する。このとき、弁室ボディ２０の区画壁４０に形成した浄水導入口５２は、円筒弁２１の端部壁４４によって閉塞されている。したがって、浄水戻り通路１３内の水は円筒弁２１内に流入しない。同時に、浄水導入口５２が閉止されていることから浄化部１０に水は流れず、浄化部１０は機能しない状態になっている。
このとき、一方のストレート流出口３３ａがストレート導出口２３に対向するので、円筒弁２１内に導入した原水がストレート導出口２３を経てストレート吐出口７から流出する。
すなわち、原水取入口４の原水は切換弁５を通じてストレート吐出口７に供給され、このストレート吐出口７より原水のトレート水が吐出される。
「原水シャワー」
次にハンドル６を９０度回動すると、図１１の「原水シャワー」の欄に示すように、円筒弁２１の端部壁４４に形成したシャワー流入口５３ｂが弁室ボディ２０の区画壁４０に形成した原水導入口５１に対向する。したがって、原水送り通路１２の原水が、原水導入口５１、シャワー流入口５３ｂを通じて円筒弁２１内に流入する。このときも、弁室ボディ２０の区画壁４０に形成した浄水導入口５２は円筒弁２１の端部壁４４により閉塞されており、よって、浄水戻り通路１３内の水は円筒弁２１内に流入しない。
この状態では、一方のシャワー流出口３４ａがシャワー導出口２４に対向するので、円筒弁２１内の原水がシャワー導出口２４を通じてシャワー吐出口８から流出する。
すなわち、原水取入口４の原水は切換弁５を通じてシャワー吐出口８へ供給され、このシャワー吐出口８よりシャワー水として吐出される。
【００３２】
「浄水ストレート」
さらに、ハンドル６を９０度回動操作して、浄水ストレートの位置にセットすると、図１１の「浄水ストレート」の欄に示すように、円筒弁２１の端部壁４４に形成したストレート流入口５３ａが弁室ボディ２０の区画壁４０に形成した浄水導入口５２に対向する。これにより、浄水戻り通路１３の浄水が浄水導入口５２、ストレート流入口５３ａを通じて円筒弁２１内に流入する。このときは、円筒弁２１の端部壁４４が弁室ボディ２０の区画壁４０に形成した原水導入口５１を閉じており、よって原水が円筒弁２１内に流入することはなく、代わりに原水送り通路１２から浄化部１０を経て浄水戻り通路１３に向かう循環流路が開通した状態になり、よって原水取入口４の原水が原水導入口２２より原水送り通路１２を経て浄化部１０に送られ、この浄化部１０で残留塩素が除去され、この残留塩素が除去された浄水が浄水導入口５２、ストレート流入口５３ａを経て円筒弁２１内に導かれることになる。
そしてこのとき、他方のストレート流出口３３ｂがストレート導出口２３に対向するので、円筒弁２１内の浄水はストレート導出口２３を通じてストレート吐出口７から流出する。
すなわち、浄化部１０で浄化された浄水がストレート吐出口７より吐出されるようになり、前記した原水ストレートのときと同じストレート吐出口７を通って浄水がトレート状に吐出される。
「浄水シャワー」
さらにハンドル６を９０度回動して浄水シャワーに切り換えると、図１１の「浄水シャワー」の欄に示すように、円筒弁２１の端部壁４４に形成したシャワー流入口５３ｂが弁室ボディ２０の区画壁４０に形成した浄水導入口５２に対向する。これにより、浄水戻り通路１３の浄水が浄水導入口５２、シャワー流入口５３ｂを通じて円筒弁２１内に流入する。このときは、依然として円筒弁２１の端部壁４４が弁室ボディ２０の区画壁４０に形成した原水導入口５１を閉じており、原水取入口４の原水は、原水導入口２２より原水送り通路１２を経て浄化部１０に送られ、この浄化部１０で残留塩素が除去され、この残留塩素が除去された浄水が浄水導入口５２、シャワー流入口５３ｂを通じて円筒弁２１内に流入する。
このとき、他方のシャワー流出口３４ｂがシャワー導出口２４に対向するので、円筒弁２１内の浄水がシャワー導出口２４を通じてシャワー吐出口８から流出する。
すなわち、浄化部１０で浄化された浄水がシャワー吐出口８より吐出されるようになるから、前記した原水がシャワーに吐出されたときと同じシャワー吐出口８から浄水がシャワー状に吐出される。
【００３３】
このような第３の実施例の場合も、ストレート吐出口７が原水ストレートおよび浄水ストレートに共用されるとともに、シャワー吐出口８が原水シャワーと浄水シャワーに共用されるので、それぞれ原水と浄水を切り換えても水の出口は一定位置になり、よって水の落下位置が変化しなく、調理や洗いものの作業がやり易くなる。
しかも、このような吐出水の切り換えは、原水ストレート、原水シャワー、浄水ストレート及び浄水シャワーの４種類になるが、ハンドル６を９０度ずつ間欠的に回して円筒弁２１を回転操作すればよいので、切り換え操作が容易である。
【００３４】
【発明の効果】
以上説明した通り本発明によれば、切換弁の操作で、１個のストレート吐出口を原水ストレートと浄水ストレートに共用できるとともに、他の１個のシャワー吐出口を原水シャワーと浄水シャワーに共用することができ、よって原水と浄水の出る位置、すなわち水の落下する位置を同じ位置にすることができるので、原水と浄水を切り換えて調理や食器洗浄等をする場合、洗う場所を移動する必要がなくなり、使い勝手が良くなる。しかも、４種類の吐出形態を単一の切換弁で切り換えることができるので、切換操作が容易になる。さらに、弁室ボディおよび円筒弁はそれぞれ円筒形状をなし、これらの周壁又は端部壁に切換用の孔を開口するから、構造が簡単で、部品点数が少なくてすみ、製造も容易で安価に製造することができる。
【図面の簡単な説明】
【図１】本発明の第１の実施例を示し、蛇口直結型浄水器の外観及び流路系統を概略的に示す図
【図２】、同実施例の浄水器の本体部分を断面した縦断面図
【図３】同横断面図
【図４】同実施例の切換弁の主要部の分解斜視図
【図５】同実施例の４種類の切り換え状態を説明する図
【図６】、本発明の第２の実施例を示し、浄水器の本体部分を断面した縦断面図
【図７】同横断面図
【図８】同実施例の切換弁の主要部の分解斜視図
【図９】同実施例の４種類の切り換え状態を説明する図
【図１０】本発明の第３の実施例を示し、切換弁の主要部の分解斜視図
【図１１】同実施例の４種類の切り換え状態を説明する図
【符号の説明】
１…浄水器本体
２…連結具
３…水道蛇口
４…原水取入口
５…切換弁
６…ハンドル
７…ストレート吐出口
８…シャワー吐出口
１０…浄化部
１１…カートリッジ
１２…原水送り通路
１３…浄水戻り通路
２０…弁室ボディ
２１…円筒弁
２２…原水導入口
２３…ストレート導出口
２４…シャワー導出口
２６…浄水導入口
３０…仕切壁
３１…原水送り口
３２…原水流入口
３３ａ、３３ｂ…ストレート流出口
３４ａ、３４ｂ…シャワー流出口
３５…浄水流入口２０…弁室ボディ
４０…区画壁
４１…仕切壁
４２ａ…原水ストレート導入口
４２ｂ…原水シャワー導入口
４３ａ…浄水ストレート導出口
４３ｂ…浄水シャワー導出口
４４…端部壁
４５…流入口
５１…原水導入口
５２…浄水導入口
５３ａ…ストレート流入口
５３ｂ…シャワー流入口
【図１】
2004205031.tif 000003
【図２】
2004205031.tif 000004
【図３】
2004205031.tif 000005
【図４】
2004205031.tif 000006
【図５】
2004205031.tif 000007
【図６】
2004205031.tif 000008
【図７】
2004205031.tif 000009
【図８】
2004205031.tif 000010
【図９】
2004205031.tif 000011
【図１０】
2004205031.tif 000012
【図１１】
2004205031.tif 000013